(57)【要約】【課題】入力された仮名文字列に対応する漢字の使用を読者の観点から適切に管理する。【解決手段】画像形成装置は、漢字を登録するための漢字辞書を格納する記憶部と、画像データを解析して漢字仮名交じりのテキストデータを生成する文字認識処理部と、漢字辞書に登録されている漢字を登録済み漢字とし、漢字辞書に登録されていない漢字を未登録漢字としたとき、未登録漢字の画像を予め設定された表記方法に変更された画像に変換する文字画像変換部とを備える。表記方法の変更は、ひらがなの付記への変更、ひらがなへの変更及び字体の変更のいずれか１つである。【選択図】図１
2017091383.tif 000002
【特許請求の範囲】
【請求項１】
画像形成装置であって、
漢字を登録するための漢字辞書を格納する記憶部と、
画像データを解析して漢字仮名交じりのテキストデータを生成する文字認識処理部と、
前記漢字辞書に登録されている漢字を登録済み漢字とし、前記漢字辞書に登録されていない漢字を未登録漢字としたとき、前記未登録漢字の画像を予め設定された表記方法に変更された画像に変換する文字画像変換部と、
を備え、
前記表記方法の変更は、ひらがなの付記への変更、ひらがなへの変更及び字体の変更のいずれか１つである画像形成装置。
【請求項２】
請求項１記載の画像形成装置であって、
前記文字画像変換部は、ひらがなへの変更を選択すると前記表記方法の変更対象となる漢字が複数のページに跨がって配置されることとなる場合には、ひらがなの付記への変更と字体の変更のいずれかに切り替える画像形成装置。
【請求項３】
請求項１又は２に記載の画像形成装置に接続されるための文字入力装置であって、
前記登録済み漢字への変換を可能とする一方、前記未登録漢字への変換を制限する仮名漢字変換部と、
を備える文字入力装置。
【請求項４】
請求項３記載の文字入力装置であって、
前記仮名漢字変換部は、ひらがなの付記への変更、ひらがなへの変更及び字体の変更の少なくとも１つの表記の選択を許容する変換ウィンドウを表示する文字入力装置。
【請求項５】
漢字辞書を格納する記憶部を使用する画像形成方法であって、
画像データを解析して漢字仮名交じりのテキストデータを生成する文字認識処理工程と、
前記漢字辞書に登録されている漢字を登録済み漢字とし、前記漢字辞書に登録されていない漢字を未登録漢字としたとき、前記未登録漢字の画像を予め設定された表記方法に変更された画像に変換する文字画像変換工程と、
を備え、
前記表記方法の変更は、ひらがなの付記への変更、ひらがなへの変更及び字体の変更のいずれか１つである画像形成方法。
【請求項６】
画像形成装置を制御するための画像形成プログラムであって、
漢字辞書を格納する記憶部、
画像データを解析して漢字仮名交じりのテキストデータを生成する文字認識処理部、及び
前記漢字辞書に登録されている漢字を登録済み漢字とし、前記漢字辞書に登録されていない漢字を未登録漢字としたとき、前記未登録漢字の画像を予め設定された表記方法に変更された画像に変換する文字画像変換部として前記画像形成装置を機能させ、
前記表記方法の変更は、ひらがなの付記への変更、ひらがなへの変更及び字体の変更のいずれか１つである画像形成プログラム装置。
【発明の詳細な説明】
【技術分野】
【０００１】
本発明は、画像形成において漢字の使用を管理する画像形成装置、画像形成方法及び画像形成プログラムに関する。
【背景技術】
【０００２】
電子機器への文字入力においては、入力された仮名文字列に対応する少なくとも１つの漢字を提案する仮名漢字変換機能が利用されている。仮名漢字変換機能は、一般的に変換頻度に応じた順序で複数の候補としての漢字を提案する。これにより、候補となる漢字の選択負担を軽減している。特許文献１は、この負担をさらに軽減する方法として以下のような方法を提案している。この方法は、ユーザーが置かれている利用シーン（たとえば勤務場所で業務用のメールを作成する場合と自宅で私的なメールを作成する場合）に応じて、変換候補の優先度を切り替えることができる文字列変換機能である。このように、従来は、仮名漢字変換機能は、一般的に文書作成者側の視点で開発が進められてきた。しかしながら、小学校のように想定される文書の読者の漢字の習得レベルが学年や学期ごとに相違する場合がある。このような場合には、漢字の習得状況に応じて漢字の使用が制限される場合がある。
【先行技術文献】
【特許文献】
【０００３】
【特許文献１】特開２０１０−９２３６８号公報
【発明の概要】
【発明が解決しようとする課題】
【０００４】
このように、従来は、文書の読者に配慮する観点からは、十分な検討が行われていなかった。特に、仮名漢字変換機能は、一般に入力された仮名文字列を漢字に変換することを前提とし、ふりがなの付記といった表記方法については十分に検討されていなかった。
【０００５】
本発明はこのような状況に鑑みてなされたものであり、入力された仮名文字列に対応する漢字の使用を読者の観点から適切に管理する技術を提供することを目的とする。
【課題を解決するための手段】
【０００６】
本発明の画像形成装置は、漢字を登録するための漢字辞書を格納する記憶部と、画像データを解析して漢字仮名交じりのテキストデータを生成する文字認識処理部と、前記漢字辞書に登録されている漢字を登録済み漢字とし、前記漢字辞書に登録されていない漢字を未登録漢字としたとき、前記未登録漢字の画像を予め設定された表記方法に変更された画像に変換する文字画像変換部とを備える。前記表記方法の変更は、ひらがなの付記への変更、ひらがなへの変更及び字体の変更のいずれか１つである。
【０００７】
本発明の画像形成方法は、漢字辞書を格納する記憶部を使用する画像形成方法である。本画像形成方法は、画像データを解析して漢字仮名交じりのテキストデータを生成する文字認識処理工程と、前記漢字辞書に登録されている漢字を登録済み漢字とし、前記漢字辞書に登録されていない漢字を未登録漢字としたとき、前記未登録漢字の画像を予め設定された表記方法に変更された画像に変換する文字画像変換工程とを備える。前記表記方法の変更は、ひらがなの付記への変更、ひらがなへの変更及び字体の変更のいずれか１つである。
【０００８】
本発明の制御プログラムは、画像形成装置を制御するための画像形成プログラムである。本画像形成プログラムは、漢字辞書を格納する記憶部、画像データを解析して漢字仮名交じりのテキストデータを生成する文字認識処理部、及び前記漢字辞書に登録されている漢字を登録済み漢字とし、前記漢字辞書に登録されていない漢字を未登録漢字としたとき、前記未登録漢字の画像を予め設定された表記方法に変更された画像に変換する文字画像変換部として前記画像形成装置を機能させる。前記表記方法の変更は、ひらがなの付記への変更、ひらがなへの変更及び字体の変更のいずれか１つである。
【発明の効果】
【０００９】
本発明によれば、入力された仮名文字列に対応する漢字の使用を読者の観点から適切に管理する技術を提供することができる。
【図面の簡単な説明】
【００１０】
【図１】本発明の第１実施形態に係る画像形成システムの機能構成を示すブロックダイアグラムである。
【図２】第１実施形態に係る仮名漢字管理処理の内容を示すフローチャートである。
【図３】第１実施形態に係る文字入力システムの一例における処理対象原稿と処理済み原稿とを示す説明図である。
【図４】第１実施形態に係る文字入力システムの他の例における処理対象原稿と処理済み原稿とを示す説明図である。
【図５】第２実施形態に係る仮名漢字管理処理の内容を示すフローチャートである。
【図６】第２実施形態に係る仮名漢字変換処理の変換ウィンドウを示す説明図である。
【発明を実施するための形態】
【００１１】
以下、本発明を実施するための形態（以下、「実施形態」という）を、図面を参照して以下の順で説明する。
Ａ．第１実施形態：
Ｂ．第２実施形態：
Ｃ．変形例：
【００１２】
Ａ．第１実施形態：
図１は、本発明の第１実施形態に係る画像形成システム１の機能構成を示すブロックダイアグラムである。画像形成システム１は、複数のパーソナルコンピュータ２と、画像形成装置３とを備えている。画像形成装置３は、制御部１０と、画像読取部２０と、画像形成部３０と、記憶部４０と、通信インターフェース部５０とを備えている。画像形成部３０は、ＯＣＲ処理部３１と、漢字解析部３２と、画像処理部３３とを備えている。複数のパーソナルコンピュータ２は、通信インターフェース部５０を使用して画像形成装置３に接続されている。複数のパーソナルコンピュータ２は、小学校の各教員によって使用されているものとする。なお、ＯＣＲ処理部３１は、文字認識処理部とも呼ばれる。画像処理部３３は、文字画像変換部とも呼ばれる。
【００１３】
制御部１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１０は、各種Ｉ／Ｏ、ＵＳＢ（ユニバーサル・シリアル・バス）、バス、その他バードウェア等のインターフェースに関連するコントローラ機能を備え、画像形成装置３全体を制御する。
【００１４】
記憶部４０は、非一時的な記録媒体であるハードディスクドライブやフラッシュメモリー等からなる記憶装置で、制御部１０が実行する処理の制御プログラムやデータを記憶する。
【００１５】
図２は、第１実施形態に係る仮名漢字管理処理の内容を示すフローチャートである。図３は、第１実施形態に係る文字入力システムの一例における処理対象原稿Ｔ１と処理済み原稿Ｔ２とを示す説明図である。この例では、処理対象原稿Ｔ１は、小学校の授業で使用される副教材の一部である。
【００１６】
ステップＳ１０では、画像読取部２０は、スキャン処理を実行する。スキャン処理は、副教材としての処理対象原稿Ｔ１を読み取って画像データを生成する処理である。処理対象原稿Ｔ１は、漢字仮名交じり文を表示している。処理対象原稿Ｔ１は、漢字として「兵十」、「立」、「納屋」、「火縄銃」及び「火薬」を含む漢字仮名交じり文である。
【００１７】
ステップＳ２０では、画像形成部３０のＯＣＲ処理部３１は、ＯＣＲ処理を実行する。ＯＣＲ処理は、処理対象原稿Ｔ１を読み取った画像データを解析して漢字を含むテキストデータに変換する処理である。ＯＣＲ処理は、「兵十」、「立」、「納屋」、「火縄銃」及び「火薬」の漢字と、ひらがなのテキストデータとを検出する。「兵十」、「火縄銃」及び「火薬」は、ひらがな文への変換のためにそれぞれ単語毎に一体として管理される。
【００１８】
ステップＳ３０では、画像形成部３０の漢字解析部３２は、漢字仮名まじり文をひらがな文に変換する。この変換は、たとえば漢字仮名まじり文をひらがな文やローマ字文に変換するプログラム（たとえばＫＡＫＡＳＩ）の使用や一般に使用されている仮名漢字変換用辞書の逆引きによって行うことができる。
【００１９】
ステップＳ４０では、画像形成部３０の漢字解析部３２は、上述の検出された漢字が漢字辞書４１に登録されているか否かを決定する。この決定は、漢字辞書４１に基づいて「兵」、「十」、「立」、「納」、「屋」、「火」、「縄」、「銃」、「火」及び「薬」について１文字ずつ順に実行される。漢字辞書４１は、画像形成装置３の記憶部４０によってユーザー毎に管理されている辞書である。漢字辞書４１は、ユーザーが画像形成装置３にログインする際に自動的に選択される。本処理は、漢字の使用制限に関する処理なので、漢字１文字毎に処理される。ただし、「兵十」、「火縄銃」及び「火薬」をそれぞれ一体として管理して処理するようにしてもよい。
【００２０】
なお、漢字辞書４１に登録されている漢字は登録済み漢字と呼ばれ、漢字辞書４１に登録されていない漢字は未登録漢字と呼ばれる。
【００２１】
漢字辞書４１は、たとえば小学校４年生の１学期において国語における漢字学習の進度に応じて漢字が登録されているものとする。本実施形態では、漢字辞書４１には、「納」、「屋」、「縄」及び「銃」が登録されておらず、他の漢字が全て登録されているものとする。漢字辞書４１は、たとえばユーザーである小学校教員が漢字を自由に登録でき、学習進度に応じて２学期に学習する「納屋」を学習後に登録し、３学期にも同様に「火縄銃」を登録するといった柔軟な運用が可能である。
【００２２】
漢字の登録は、たとえば画像形成装置３の操作表示部（図示せず）を介して画像形成装置３を漢字登録モードとし、漢字が表示されている原稿からスキャン処理及びＯＣＲ処理によって登録することができる。さらに、画像形成装置３の操作表示部（図示せず）がタッチセンサとして機能するように構成し、手書きで入力するようにしてもよいし、あるいはパーソナルコンピュータ２から通信インターフェース部５０を介して入力するように構成してもよい。
【００２３】
決定対象である漢字が全て漢字辞書４１に登録されている場合には、処理がステップＳ１００に進められて、印刷処理（ステップＳ１００）が実行される。決定対象である漢字の少なくとも１つが漢字辞書４１に登録されていない場合には、処理がステップＳ５０に進められる。
【００２４】
ステップＳ５０では、画像形成部３０の漢字解析部３２は、ふりがな付記の表記を選択するか否かを決定する。この選択は、ユーザー入力に応じて決定される。ユーザー入力は、たとえば画像形成装置３の操作表示部（図示せず）を介して入力される。ふりがな付記の表記が選択された場合には、処理がステップＳ６０に進められる。
【００２５】
ステップＳ６０では、画像形成部３０の画像処理部３３は、処理済み原稿Ｔ２（図３参照）に示されるように「納屋」と「火縄銃」の「縄銃」にふりがなを付記している。一方、ふりがな付記の表記が選択されなかった場合には、処理がステップＳ７０に進められる。なお、ふりがなの付記に際しては、必要に応じて行間を広げる処理を行うことが好ましい。
【００２６】
ステップＳ７０では、画像形成部３０の漢字解析部３２は、ひらがな変換を選択するか否かを決定する。この選択は、ユーザー入力に応じて決定される。ユーザー入力は、たとえば画像形成装置３の操作表示部（図示せず）を介して入力される。ひらがな変換が選択された場合には、処理がステップＳ８０に進められる。
【００２７】
図４は、第１実施形態に係る画像形成システム１の他の例における処理対象原稿Ｔ１と処理済み原稿Ｔ３とを示す説明図である。
【００２８】
ステップＳ８０では、画像形成部３０の画像処理部３３は、処理済み原稿Ｔ３に示されるように「火縄銃」の「縄銃」の部分と「納屋」とがひらがなに変換されている。ここで、「納屋」から「なや」へのひらがな変換には、文字数の変更が伴わないので「納」「屋」の位置にそれぞれ「な」「や」の語が配置される。一方、「縄銃」から「なわじゅう」へのひらがな変換には、２文字から５文字への文字数の変更（３文字増加）が伴うので、「火薬を」（処理済み原稿Ｔ２参照）の３文字が次の行にシフトされ、これに伴い「つめました。」の文字列もシフトしている（処理済み原稿Ｔ３参照）。一方、ひらがな変換が選択されなかった場合には、処理がステップＳ９０に進められる。
【００２９】
ステップＳ９０では、画像形成部３０の画像処理部３３は、「納屋」と「縄銃」の文字を強調する表記とする。具体的には、太字や斜体といった表記に変更し、未学習の漢字であることを読者に知らせて注意を喚起させることができる。強調する表記は、太字や斜体といった書体の変更やマーキングといった変更を意味し、本明細書では、字体の変更とも呼ばれる。
【００３０】
ステップＳ１００では、画像形成部３０は、ステップＳ６０やステップＳ８０において処理された画像データに基づいて印刷処理を実行する。なお、フローチャートでは、簡略化の観点から記載が省略されているが、ステップＳ４０〜ステップＳ９０の処理は、「兵十」、「立」、「納屋」、「火縄銃」及び「火薬」について１回ずつ処理が繰り返されることになる。
【００３１】
このように、第１実施形態に係る画像形成装置３は、漢字学習の進度に応じて漢字が登録されている漢字辞書４１を使用して、未学習の漢字には、ふりがな付記やひらがな表記、文字強調といった表記方法に変更して画像を形成することができる。これにより、たとえば小学校のように漢字の習得状況に応じて漢字の使用が制限される場合において、読者の観点から漢字の使用について配慮がなされた文書を自動的に生成することができる。このような機能は、小学校に限られず、たとえば国際化の進展に伴い企業内において外国人に配慮した文書作成にも資するものである。
【００３２】
Ｂ．第２実施形態：
図５は、第２実施形態に係る仮名漢字管理処理の内容を示すフローチャートである。第２実施形態に係る仮名漢字管理処理は、パーソナルコンピュータ２における仮名漢字変換処理において本発明の仮名漢字管理処理を実行する点で第１実施例と相違する。
【００３３】
ステップＳ２１０では、パーソナルコンピュータ２は、漢字辞書取得処理を実行する。漢字辞書取得処理は、漢字辞書４１に登録されている漢字を画像形成装置３からパーソナルコンピュータ２に取り込む処理である。パーソナルコンピュータ２に取り込まれた漢字は、たとえば画像形成装置３のプリンタドライバとしてパーソナルコンピュータ２にインストールされているソフトウェア内の仮名漢字変換ソフトで使用することができる。本実施形態では、画像形成装置３の記憶部４０の漢字辞書４１で漢字の使用を一元管理するように構成されているが、パーソナルコンピュータ２や画像形成装置３がそれぞれ非同期の漢字辞書を有するようにしてもよい。
【００３４】
ステップＳ２２０では、ユーザーは、パーソナルコンピュータ２において文字入力処理を実行する。文字入力処理は、上述の仮名漢字変換ソフト（図示せず）を使用して行われる。本実施形態では、漢字辞書４１には、「縄」及び「銃」が登録されておらず、「火」が登録されているものとする。文字入力処理は、文書作成ソフトウェアにおいて文書の作成に使用されているものとする。
【００３５】
図６は、第２実施形態に係る仮名漢字変換処理の変換ウィンドウＳを示す説明図である。変換ウィンドウＳは、ひらがなの「ひなわじゅう」が入力されたときの状態を示している。変換ウィンドウＳは、第１候補として「火縄銃（ひらがな付記）」を提案し、第２候補として「火なわじゅう（未習漢字）」を提案し、そして第３候補として「火縄銃（強調表示）」を提案している。ユーザーは、第１候補〜第３候補のいずれかを選択することができる。具体的には、第１候補が選択された場合には、編集画面では、「火縄銃（ひらがな付記）」が表示され、印刷プレビュー画面では、処理済み原稿Ｔ２（図３参照）に示される表記で表示される。
【００３６】
ステップＳ２３０では、パーソナルコンピュータ２は、制御データ生成処理を実行する。制御データ生成処理は、漢字を変換ウィンドウＳで選択された表記で表示された画像に変換するためのデータである。制御データ生成処理は、具体的には、テキストデータにひらがな付記の表記で表示すべき「火縄銃」の漢字列が含まれている場合には、ひらがな付記の表記で表示された火縄銃の画像データを生成するための制御データを生成する処理である。
【００３７】
ステップＳ２４０では、パーソナルコンピュータ２は、ビットマップデータとしての印刷データを生成し、画像形成装置３に送信し、画像形成装置３で印刷を実行する。なお、パーソナルコンピュータ２で表記を変更したビットマップデータを生成しても良いし、あるいは火縄銃をひらがな付記で表示することを内容とする制御データと文書データとを一緒に画像形成装置３に送信し、画像形成装置３で第１実施形態と同様の印刷処理を自動的に実行するようにしてもよい。
【００３８】
このように、第２実施形態に係る画像形成装置３を使用すれば、パーソナルコンピュータ２における文書作成の段階においても漢字辞書４１を使用して、未学習の漢字には、ふりがな付記やひらがな表記、文字強調といった表記方法に変更して画像を形成することができる。
【００３９】
Ｃ．変形例：
本発明は、上記各実施形態だけでなく、以下のような変形例でも実施することができる。
【００４０】
変形例１：上記各実施形態では、ユーザーの選択のみによって表記方法が決定されているが、たとえば文書内容に応じて自動的に切り替えるようにしてもよい。たとえば「火縄銃」の表記を変更する際に、「火縄銃」を「火なわじゅう」に変更すると、表記方法の変更対象となる漢字が別ページに跨がるような場合（たとえば「火なわ」が１ページ目に配置され、「じゅう」が２ページ目に配置される場合）には、ひらがな付記に自動的に変更して「火縄銃」が同一ページ内に表示されるようにしてもよい。
【００４１】
変形例２：上記各実施形態では、漢字辞書に登録されていない漢字の表記のみを変更しているが、たとえば漢字の習得から所定期間（たとえば１ヶ月以内）だけ漢字辞書に登録されている漢字であっても強調表示とするように構成してもよい。この場合、ひらがな表記やひらがな付記は行われないようにしてもよいし、ひらがな表記やひらがな付記とともに強調表示を行うようにしてもよい。
【００４２】
変形例３：上記第２実施形態では、文書データにひらがな付記の表記やひらがな表記、強調表示といった表記への変更を指示する制御データが使用されているが、本発明は、このような制御データを使用する構成に限られない。たとえば印刷用ビットマップデータの生成において、「火縄銃（ひらがな付記）」のテキストデータに基づいてひらがな付記の表記に変更された火縄銃の文字を表す画像データを生成するように構成してもよい。すなわち、（ひらがな付記）の文字列を制御データとして使用するようにしてもよい。
【００４３】
変形例４：上記第２実施形態では、仮名漢字変換処理は、変換ウィンドウＳにおいて「火縄銃（ひらがな付記）」や「火なわじゅう（未習漢字）」を提案することによって未登録漢字への変換を制限するように構成されているが、未登録漢字への変換の制限は、たとえば「火縄銃」への変換時に警告ウィンドウを表示するといった他の方法で行うようにしてもよい。
【符号の説明】
【００４４】
１    画像形成システム
２    パーソナルコンピュータ
３    画像形成装置
１０    制御部
２０    画像読取部
３０    画像形成部
３１    ＯＣＲ処理部
３２    漢字解析部
３３    画像処理部
４０    記憶部
４１    漢字辞書
５０    通信インターフェース部
【図１】
2017091383.tif 000003
【図２】
2017091383.tif 000004
【図３】
2017091383.tif 000005
【図４】
2017091383.tif 000006
【図５】
2017091383.tif 000007
【図６】
2017091383.tif 000008